(57)【要約】【課題】配線作業がしやすく放熱性がよいキャビネットを提供する。【解決手段】対向する一対の側板３１に少なくとも上下２枚の仕切り部材（３０，４０）が配置されたキャビネット１であって、下側の仕切り部材（４０）の奥行き寸法が、上側の仕切り部材（３０）の奥行き寸法より短く、前記下側の仕切り部材の奥側端部（４０ａ）から前記上側の仕切り部材の下面（３０ａ）に向けて背板３２が立設されて、該背板３２の後方に配線空間６が形成されていることを特徴とする。【選択図】図１
2011098059.tif 000002
【特許請求の範囲】
【請求項１】
対向する一対の側板に少なくとも上下２枚の仕切り部材が配置されたキャビネットであって、
下側の仕切り部材の奥行き寸法が、上側の仕切り部材の奥行き寸法より短く、前記下側の仕切り部材の奥側端部から前記上側の仕切り部材の下面に向けて背板が立設されて、該背板の後方に配線空間が形成されていることを特徴とするキャビネット。
【請求項２】
請求項１において、
前記背板は、前記一対の側板によって支持されていることを特徴とするキャビネット。
【請求項３】
請求項１又は請求項２において、
前記下側の仕切り部材の奥行き寸法が、前記上側の仕切り部材の奥行き寸法の略半分であることを特徴とするキャビネット。
【請求項４】
請求項１〜請求項３のいずれか１項において、
前記上側の仕切り部材は、配線を挿通させる配線開口部を有することを特徴とするキャビネット。
【発明の詳細な説明】
【技術分野】
【０００１】
本発明は、電気機器などを収納することができるキャビネットに関する。
【背景技術】
【０００２】
従来より、ＡＶ（オーディオヴィジュアル）機器、ゲーム機、テレビなどの電気機器を収納することができるキャビネットとして、配線が外側から見えないように体裁よく配線を配設することができるものが知られている。
例えば下記特許文献１には、背板の前面側にテレビを取り付けるためのテレビ取付用パネルを有したテレビ設置用スペースと、このテレビ設置用スペースの下部にＡＶ機器収納部とを備えた壁面収納ユニットが開示されている。ここには、ＡＶ機器収納部の天板の後方に配線を挿通させるための切り欠きが設けられており、前記テレビ取付用パネルが前記切り欠きよりも前方に配設されたものが記載されている。
【先行技術文献】
【特許文献】
【０００３】
【特許文献１】特開２００６−４１９１７号公報
【発明の概要】
【発明が解決しようとする課題】
【０００４】
しかしながら上記特許文献１に開示されているキャビネットは、独立したユニットとして構成されているので、配線を挿通させるためにその天板に形成された切り欠きが小さく、また配線空間がテレビ取付用パネルと背板との間に設けられる角材の厚み分しか設けられていない。そのため、配線作業がしにくく、ＡＶ機器収納部に収納されている電気機器が発する熱の放熱性がよいものといえなかった。
【０００５】
本発明は、上記実情に鑑みなされたものであり、配線作業がしやすく放熱性がよいキャビネットを提供することを目的とする。
【課題を解決するための手段】
【０００６】
本発明に係るキャビネットは、対向する一対の側板に少なくとも上下２枚の仕切り部材が配置されたキャビネットであって、下側の仕切り部材の奥行き寸法が、上側の仕切り部材の奥行き寸法より短く、前記下側の仕切り部材の奥側端部から前記上側の仕切り部材の下面に向けて背板が立設されて、該背板の後方に配線空間が形成されていることを特徴とする。
この構成によれば、背板の後方に広い配線空間を確保しやすくなるので、配線作業がしやすい。またこの配線空間が放熱空間にもなるので、この配線空間にテレビやＡＶ機器などの電気機器が発する熱を放熱させることができ、放熱性をよくすることができる。
【０００７】
本発明において、背板は、前記一対の側板によって支持されているものとしてもよい。
この場合は例えば背板に大画面テレビなどの重い機器を固定しても、背板が一対の側板で支持されているので、奥行きの短い下側仕切り部材に負担がかかることがない。
【０００８】
また本発明において、下側の仕切り部材の奥行き寸法が、前記上側の仕切り部材の奥行き寸法の略半分であるものとしてもよい。
この場合は上側の仕切り部材の奥行き方向の中間位置に背板が配置されることになる。よって例えば上側仕切り部材の上に重い機器が置かれた場合でも前後いずれかの方向に傾くことがなく重量バランスがよいものとすることができる。
【０００９】
さらに本発明において、上側の仕切り部材は、配線を挿通させる配線開口部を有するものとしてもよい。
この場合は、例えば上側の仕切り部材の上方へ配線開口部を通じて配線を導引することができる。
【発明の効果】
【００１０】
本発明に係るキャビネットによれば、配線作業がしやすく放熱性をよくすることができる。
【図面の簡単な説明】
【００１１】
【図１】本発明に係るキャビネットの一実施形態を示す概略断面図である。
【図２】図１におけるＸ−Ｘ線矢視断面図である。
【図３】同キャビネットの全体斜視図である。
【発明を実施するための形態】
【００１２】
以下に本発明の実施の形態について、図面に基づいて説明する。
図１〜図３は本発明のキャビネット１の一実施形態を示すものである。
本実施形態のキャビネット１は、複数のユニットキャビネットを組み合わせてひとつのキャビネットを構成しており、図１には上部収納部２と、テレビ収納部３と、下部収納部４とよりなる縦長矩形状の３段のキャビネット（ミドルユニット）１を示している。図中、８０はテレビ８の配線を示し、配線８０はテレビ８に電圧を供給するための配線だけでなく、電気機器９に接続される配線も含む。９０は電気機器９が電圧の供給を受けるためにコンセント１２に接続される配線を示している。
【００１３】
キャビネット１は、対向する一対の側板３１（図３参照）に少なくとも上下２枚の仕切り部材が配置され、下側の仕切り部材（以下、下部収納部４の天板４０）の奥行き寸法が、上側の仕切り部材（以下、テレビ収納部３の天板３０）の奥行き寸法より短く、下部収納部４の天板４０の奥側端部４０ａからテレビ収納部３の天板３０の下面３０ａに向けて背板３２が立設されて、この背板３２の後方に配線空間６が形成されている。
【００１４】
まずは上段に設けられた上部収納部２について説明する。上部収納部２は、天板２０と、一対の側板２１と、地板２２と、背板２３とよりなる前面開口の箱体からなり、前面開口は、開閉自在に構成された前板２４で塞がれている。
上部収納部２は、棚板２５と仕切板２６とによって複数の収納空間に仕切られており、ＤＶＤデッキやゲーム機などの電気機器９や小物などを収納することができる。テレビ収納部３に近い下段の中央にある収納空間は棚板２９によってさらに２つの収納空間に仕切られ、その上段に電気機器９が収納されている。
下段中央の収納空間を上下に仕切る棚板２９の奥行き寸法は、好ましくは側板２１、天板２０及び地板２２の奥行き寸法より短く形成し、この棚板２９の奥方に配線９０を這わせることができる配線空間２９ａが形成されているものとしてもよい。
【００１５】
図２に示すように上部収納部２の背板２３には、壁面１１に設けられたコンセント１２に対応する位置にコンセント開口部２７が形成されており、このコンセント開口部２７は、コンセント１２が露出するようにコンセント１２の形状に合わせて形成されている。
上部収納部２の地板２２にはテレビ８や電気機器９の配線８０，９０を挿通させる配線開口部２８が開口形成されており、この配線開口部２８は、テレビ収納部３の天板３０に形成された配線開口部３３と連通するように形成されている。
また配線開口部２８には、好ましくは図２に示すように配線キャップ２８ａを嵌め入れ、この配線キャップ２８ａに配線挿通口２８ｂを切り欠き形成したものとしてもよい。
【００１６】
次に中段に設けられたテレビ収納部３について説明する。
テレビ収納部３は、天板３０と、一対の側板３１と、背板３２とよりなる前面開口の枠体からなり、下部収納部４の天板４０の上に載置されるように設けられる。なお、ここでは図示していないが、天板３０及び一対の側板３１の前側端部には樹脂材又は金属材などからなる装飾枠が嵌め入れられる。
テレビ収納部３の枠体が載置される下部収納部４の天板４０の奥行き寸法は、テレビ収納部３の天板３０の奥行き寸法より短く形成されている。図では下部収納部４の天板４０の奥行き寸法がテレビ収納部３の天板３０における奥行き寸法の略半分とした場合を示している。また、下部収納部４の天板４０の前側端部は、天板３０の前側端部や側板３１の前側端部と同じ位置に設けられる場合を示すが、これらより下部収納部４の天板４０の前側端部が前方に突出してもいてもよい。
【００１７】
背板３２は、下部収納部４の天板４０の奥側端部４０ａからテレビ収納部３の天板３０の下面３０ａに向けて略垂直に立設されている。
そして、このように背板３２を配置することにより、テレビ収納部３の背板３２の後方には配線空間６が形成される。また下部収納部４の天板４０がキャビネット１の奥行き寸法より短く形成されているので、下部収納部４の天板４０の後方には配線空間６と、この配線空間６と連通する連通空間７が形成される。
背板３２の前面には、テレビ８（図１・２点鎖線参照）が専用取付具８ａで取り付けられ、背板３２は対向する一対の側板３１によって支持されている。背板３２の中央には図３に示すようにテレビ８の配線８０を挿通させるための背板配線開口部３４が平面視して方形状に形成されている。
【００１８】
上述したように下部収納部４の天板４０の奥行き寸法は、上部収納部２の地板２２及びテレビ収納部３の天板３０の奥行き寸法の略半分に形成されているので、背板３２を挟んで前方半分はテレビ８の収納スペース、後方半分は配線空間６となる。また連通空間７はこの配線空間６と連通して形成されているため、下部収納部４の上方半分は開口した状態となっている。
このように背板３２を挟んで後方半分を配線空間６とすることができるので、配線空間６としては十分なスペースを確保することができる。よって、テレビ８の配線８０を背板配線開口部３４を通じて上部収納部２へ引き込んだり、下部収納部４へと引き込む作業などがしやすくなる。
またこの配線空間６や連通空間７が放熱空間になり、テレビ８や電気機器９が発する熱を効果的に配線空間６や連通空間７へ逃がすことができるので、放熱性のよいものとすることができる。
さらにテレビ収納部３の背板３２は、上述したようにその両側部に設けられた一対の側板３１によって支持されているので、図１に示すように大画面のテレビ８などの重い機器を背板３２に固定しても、一対の側板３１で支持することができるので、下部収納部４の天板４０の奥行きを短く形成しても、この天板４０に負担をかけることがない。
そして、下部収納部４の天板４０の奥行き寸法をテレビ収納部３の天板３０の奥行き寸法の略半分とすれば、天板３０の奥行き方向の中間位置に背板３２が配置されることになる。よって例えば上部収納部２に重い機器などが収納された場合でも前後いずれかの方向に傾くことがなく重量バランスがよいものとすることができ、キャビネット１として高さのあるものとなっても安定よく床面１０に設置することができる。
【００１９】
テレビ収納部３の天板３０には上部収納部２の地板２２に形成された配線開口部２８と連通するように配線開口部３３が形成されている。
このとき、上部収納部２とテレビ収納部３の間は、配線開口部２８，３３を通じて連通しているので、図１に示すようにテレビ８と上部収納部２に収納された電気機器９とを配線８０でつなぐ場合でも、キャビネット１の外側に配線８０を這わせることなく、配線処理をすることができる。一方、下部収納部４へは連通空間７を通じて配線８０を下部収納部４へと引き込むことできる。
【００２０】
続いて下段に設けられた下部収納部４について説明する。下部収納部４は、天板４０と、一対の側板４１と、地板４２（底板）と、背板４３とよりなる前面開口の箱体からなり、前面開口は、開閉自在に構成された前板４４で塞がれている。
下部収納部４は、棚板４５と仕切板４６とによって複数の収納空間に仕切られており、ＤＶＤデッキやゲーム機などの電気機器９や小物などを収納することができる。棚板４５の奥行き寸法は、好ましくは側板４１の奥行き寸法より短く形成されており、その奥方に配線空間４５ａが形成されてものとしてもよい。
【００２１】
下部収納部４の地板４２の下方には平面視して方形の枠体からなる台輪５を備えている。
下部収納部４の地板４２の奥側端部４２ａ及び台輪５の後部枠５０は、下部収納部４の地板４２より前方に配置されており、台輪５の奥方には配線収納空間５ａが形成されている。この配線収納空間５ａには、下部収納部４に収納された電気機器９の余剰配線をまとめて収納しておくことができる（図１参照）。
下部収納部４の背板４３には、好ましくは壁面１１に設けられたコンセント１２に対応する位置にコンセント開口部（不図示）が形成されたものとしてもよい。この場合、このコンセント開口部がコンセント１２が露出するようにコンセント１２の形状に合わせて形成されたものとすれば、コンセント１２の位置が確認しやすく配線処理がしやすくなる。
【００２２】
このようにキャビネット１は、上部収納部２、テレビ収納部３、下部収納部４と３つのユニットキャビネットで構成されているが、収納空間のそれぞれが配線開口部２８，３３、配線空間６，２９ａ，４５ａ、連通空間７で連通しており、キャビネット１の外側からはテレビ８や電気機器９の配線８０，９０が見えることがないので、見栄えのよいものとすることができる。
【００２３】
以上、キャビネット１の形状、大きさ、構成は図例に限定されるものではない。
例えば上部収納部２を備えていないものであってもよく、また台輪５がない吊り施工されるキャビネット１にも適用することができる。上部収納部２及び下部収納部４の前板２４，４４の開閉構造などは特に限定されるものではなく、またこのような前板を備えていないのないオープンラックとしてもよい。さらにキャビネット１に収納される電気機器は図例のものに限定されず、ＡＶ機器に限らずパソコンやプリンタ、照明器具などを収納することができる。
【符号の説明】
【００２４】
１      キャビネット
３０      天板（上側の仕切り部材）
３０ａ      下面
３１      側板
３２      背板
３３      配線開口部
４０      天板（下側の仕切り部材）
４０ａ      奥側端部
【図１】
2011098059.tif 000003
【図２】
2011098059.tif 000004
【図３】
2011098059.tif 000005